(57)【要約】      （修正有）【課題】  ディスクを読み取り走査して再生終了後に、ディスクを一時的に複数枚待避でき、ディスクの入れ替え時に再生後のディスクを一つずつ取り出して持ち帰る必要がないディスクプレーヤーを提供する。【解決手段】  プレーヤー本体の筐体２の開口部から出し入れする読み取り用トレイ３にセットしターンテーブル１９で回転してピックアップで読み取り走査するディスクＤを収納用トレイ４内に収納し、読み取り用トレイを筐体内の上側に配置し収納用トレイを読み取り用トレイの下側に配置し両トレイが筐体の前側の上下位置に開設した開口部から出し入れ、読み取り用トレイに筐体の上壁２ｃから下向きの上下移動機構５と、上下移動機構の下面側の左右両側に読み取り用トレイで読み取り走査した後のディスクを掴んで上側に持ち上げ読み取り用トレイを上側の開口部から出した後に下側の収納用トレイ内に読み取り走査後のディスクを掴んで落下し収納するチャッキング機構６を配設する。【選択図】  図６
2005135474.tif 000002
【特許請求の範囲】
【請求項１】
プレーヤー本体の筐体の開口部から出し入れされる読み取り用トレイにセットされターンテーブルで回転駆動されてピックアップで読み取り走査されたディスクを別の収納用トレイ内に複数枚収納されるようにしたディスクプレーヤーにおいて、前記読み取り用トレイが前記筐体内の上側に配置され、前記収納用トレイが前記筐体内における前記読み取り用トレイの下側に配置されていて、前記両トレイが前記筐体の前側の上下位置に開設された開口部から別々に出し入れされるように構成され、上記読み取り用トレイには、前記筐体の上壁から下向きに配設された上下移動機構と、この上下移動機構の下面側の左右両側に前記読み取り用トレイで読み取り走査された後のディスクを掴んで上側に持ち上げ、前記読み取り用トレイが前記上側の開口部から出された後に前記下側の収納用トレイ内に読み取り走査後のディスクを掴んでから落下させて複数枚収納させるようにしたチャッキング機構が配設されていて、前記上下移動機構は、前記筐体の上側に配置されたモーターとこのモーターから垂下され周囲に雄ネジが設けられたロッドと、このロッドに設けられた雄ネジが螺合する雌ネジ孔を有し下側にターンテーブル回転用の長尺の回転軸を有するモーターが取りつけられたブロック体と、このブロック体の左右両側から突設された支持リブが入り込んで上下方向に移動可能され前記筐体の左右両側から垂設された左右一対の支持レールとで構成され、前記チャッキング機構は、前記筐体の下面に取りつけられたコイルと、このコイルの下側に配置され前記コイルの励磁によって上下移動される横長平板状の磁性体と、この磁性体の上下移動を上下に案内する案内用ロッドと、前記磁性体の左右両側から垂設され下端に前記ディスクに係止してディスクを掴み通常は内側向きに付勢されたチャッキング用ロッドと、これらのチャッキングロッドの内側に近接し前記チャッキング用ロッドの上下方向中途部の突起が接して前記チャッキング用ロッドが外向きに開いた状態となり前記両側のコイルから下向きに垂設されて前記チャッキング用ロッドの上下方向途中箇所の内側に突設された突起が入り込む凹部を有する下向き長板材とを有し、前記読み取り用トレイの上面の中央部には前記ターンテーブルとで前記ディスクを回転させる際の前記ディスクを保持するためのクランパが配置され、前記読み取り用トレイ内に前記ターンテーブルの回転で前記ディスクを読み取り走査するためのピックアップが配置されていることを特徴とするディスクプレーヤー。
【請求項２】
プレーヤー本体の筐体の開口部から出し入れされる読み取り用トレイにセットされターンテーブルで回転駆動されてピックアップで読み取り走査されたディスクを別の収納用トレイ内に複数枚収納されるようにしたディスクプレーヤーにおいて、前記読み取り用トレイが前記筐体内の上側に配置され、前記収納用トレイが前記筐体内における前記読み取り用トレイの下側に配置されていて、前記両トレイが前記筐体の前側の上下位置に開設された開口部から別々に出し入れされるように構成され、上記読み取り用トレイには、前記筐体の上壁から下向きに配設された上下移動機構と、この上下移動機構の下面側の左右両側に前記読み取り用トレイで読み取り走査された後のディスクを掴んで上側に持ち上げ、前記読み取り用トレイが前記上側の開口部から出された後に前記下側の収納用トレイ内に読み取り走査後のディスクを掴んでから落下させて複数枚収納させるようにしたチャッキング機構が配設されていることを特徴とするディスクプレーヤー。
【発明の詳細な説明】
【技術分野】
【０００１】
本発明は、プレーヤー本体の筐体の開口部から出し入れされる読み取り用トレイにセットされターンテーブルで回転駆動されてピックアップで読み取り走査されたディスクを別の収納用トレイ内に複数枚収納されるようにしたディスクプレーヤーに関するものである。
【背景技術】
【０００２】
一般に、ディスクプレイヤーは、ディスクがセットされてこのディスクが読み取り走査されるトレイが一つしかなく、このトレイをプレーイヤー本体の筐体の前部開口部か出し入れして、読み取り走査後のディスクを取り出し、新たに読み取り走査するためのディスクをトレイにセットするようにしていた。
このように、読み取り走査後のディスクをトレイから取り出し、新たに読み取り走査するディスクをセットするには手間がかかるという問題があった。
【０００３】
第１の従来技術を図８、９に示す。複数枚のディスクを上下に重ねた状態で収納して待機位置Ｐ１に待機させておき、それら複数枚のディスクのうちの選択されたいずれか１枚のディスクを待機位置Ｐ１から再生位置Ｐ２に導いてそこで再生するように構成されたディスクプレーヤにおいて、再生位置Ｐ２に導かれたディスクと待機位置Ｐ１において待機している他のディスクとはそれらの周縁部どうしが平面視において互いに重なるようにされており、かつ、いずれか１枚のディスクを水平横方向にずらすことで待機位置Ｐ１と再生位置Ｐ２との間を移動させる送り機構と、再生位置Ｐ２の中心部の直下に位置して昇降可能に設けられていて、再生位置Ｐ２に導かれたディスクを支持して回転させるターンテーブル１１２と、そのターンテーブル１１２の側方に位置して昇降可能かつターンテーブル１１２に対して離接する方向にスライド可能に設けられていて、再生位置Ｐ２に導かれたディスクから信号を読み取るピックアップ１１１とを具備したものである。（例えば、特許文献１参照）。
ところが、これにおいては、ディスクを収納するための皿形状のディスク収納部２０５を有するトレイ２０４を多く必要としていた。
【０００４】
【特許文献１】特開平２−１４３９４２号公報
【発明の開示】
【発明が解決しようとする課題】
【０００５】
本発明は、上記した従来の問題を解消し、ディスクを読み取り走査して再生終了後に、ディスクを一時的に複数枚待避させておくことができ、ディスクの入れ替え時に、再生後のディスクを一つずつ取り出して持ち帰る必要がなくて、手間を省くことができるデスクプレーヤーを提供することを目的としている。
【課題を解決するための手段】
【０００６】
本発明は、上記課題を解決するために提案されたものであって、請求項１に記載の発明は、プレーヤー本体の筐体の開口部から出し入れされる読み取り用トレイにセットされターンテーブルで回転駆動されてピックアップで読み取り走査されたディスクを別の収納用トレイ内に複数枚収納されるようにしたディスクプレーヤーにおいて、前記読み取り用トレイが前記筐体内の上側に配置され、前記収納用トレイが前記筐体内における前記読み取り用トレイの下側に配置されていて、前記両トレイが前記筐体の前側の上下位置に開設された開口部から別々に出し入れされるように構成され、上記読み取り用トレイには、前記筐体の上壁から下向きに配設された上下移動機構と、この上下移動機構の下面側の左右両側に前記読み取り用トレイで読み取り走査された後のディスクを掴んで上側に持ち上げ、前記読み取り用トレイが前記上側の開口部から出された後に前記下側の収納用トレイ内に読み取り走査後のディスクを掴んでから落下させて複数枚収納させるようにしたチャッキング機構が配設されていて、前記上下移動機構は、前記筐体の上側に配置されたモーターとこのモーターから垂下され周囲に雄ネジが設けられたロッドと、このロッドに設けられた雄ネジが螺合する雌ネジ孔を有し下側にターンテーブル回転用の長尺の回転軸を有するモーターが取りつけられたブロック体と、このブロック体の左右両側から突設された支持リブが入り込んで上下方向に移動可能され前記筐体の左右両側から垂設された左右一対の支持レールとで構成され、前記チャッキング機構は、前記筐体の下面に取りつけられたコイルと、このコイルの下側に配置され前記コイルの励磁によって上下移動される横長平板状の磁性体と、この磁性体の上下移動を上下に案内する案内用ロッドと、前記磁性体の左右両側から垂設され下端に前記ディスクに係止してディスクを掴み通常は内側向きに付勢されたチャッキング用ロッドと、これらのチャッキングロッドの内側に近接し前記チャッキング用ロッドの上下方向中途部の突起が接して前記チャッキング用ロッドが外向きに開いた状態となり前記両側のコイルから下向きに垂設されて前記チャッキング用ロッドの上下方向途中箇所の内側に突設された突起が入り込む凹部を有する下向き長板材とを有し、前記読み取り用トレイの上面の中央部には前記ターンテーブルとで前記ディスクを回転させる際の前記ディスクを保持するためのクランパが配置され、前記読み取り用トレイ内に前記ターンテーブルの回転で前記ディスクを読み取り走査するためのピックアップが配置されていることを特徴としている。
【０００７】
請求項２に記載の発明は、プレーヤー本体の筐体の開口部から出し入れされる読み取り用トレイにセットされターンテーブルで回転駆動されてピックアップで読み取り走査されたディスクを別の収納用トレイ内に複数枚収納されるようにしたディスクプレーヤーにおいて、前記読み取り用トレイが前記筐体内の上側に配置され、前記収納用トレイが前記筐体内における前記読み取り用トレイの下側に配置されていて、前記両トレイが前記筐体の前側の上下位置に開設された開口部から別々に出し入れされるように構成され、上記読み取り用トレイには、前記筐体の上壁から下向きに配設された上下移動機構と、この上下移動機構の下面側の左右両側に前記読み取り用トレイで読み取り走査された後のディスクを掴んで上側に持ち上げ、前記読み取り用トレイが前記上側の開口部から出された後に前記下側の収納用トレイ内に読み取り走査後のディスクを掴んでから落下させて複数枚収納させるようにしたチャッキング機構が配設されていることを特徴としている。
【発明の効果】
【０００８】
請求項１に記載の発明によれば、ディスクをターンテーブルとクランパとで保持してピックアップで読み取り走査して再生終了後に、ディスクをチャッキング機構のチャッキング用ロッドの下端の係止爪でチャッキングして上側に持ち上げ、その後にチャッキング機構のチャッキング用ロッドの下端の係止爪によるチャッキング状態を解除してディスクを落下させて収納用トレイ内に一時的に複数枚待避させておくことができ、ディスクの入れ替え時に、再生後のディスクを一つずつ取り出して持ち帰る必要がなくて、手間を省くことができる。
【０００９】
請求項２に記載の発明によれば、ディスクをターンテーブルを回転させてピックアップで読み取り走査して再生終了後に、ディスクをチャッキング機構でチャッキングして持ち上げ、その後にチャッキング状態を解除して、ディスクを落下して収納用トレイ内に一時的に複数枚待避させておくことができ、ディスクの入れ替え時に、再生後のディスクを一つずつ取り出して持ち帰る必要がなくて、手間を省くことができる。
【発明を実施するための最良の形態】
【００１０】
以下、本発明に係るディスクプレーヤーの実施の形態について、図を参照しつつ説明する。
図１は本発明のディスクプレーヤーの実施形態の概略斜視図、図２は図１のディスクプレーヤーから一方側のトレイを取り出した状態の概略平面図、図３は図１のディスクプレーヤーの内部構造を示す概略正面図、図４は同ディスクプレーヤー内の読み取り走査した後の再生後のディスクをチャッキング機構でチャッキングする直前の状態を示す構造図、図５は同ディスクプレーヤー内のディスクをチャッキングした状態を示す構造図、図６は同ディスクプレーヤー内のディスクをチャッキングして上側に持ち上げた状態の構造図、図７は同ディスクプレーヤー内のディスクのチャッキングを解除して下方に落下させて複数枚のディスクを収納した状態の構造図である。
【００１１】
本実施形態のディスクプレーヤーは、図１、図２、図３に示すように、プレーヤー本体１の筐体２内の上側に読み取り用トレイ３が配置され、収納用トレイ４が筐体２内における読み取り用トレイ３の下側に配置されている。
更に、両トレイ３、４が筐体２の前側の上下位置に開設された開口部２ａ、２ｂから別々に出し入れされるようになっている。
また、図４に示すように、読み取り用トレイ３には、筐体２の上壁２ｃから下向きに配設された上下移動機構５と、この上下移動機構５の下面側の左右両側に読み取り用トレイ３で読み取り走査された後のディスクＤを掴んで上側に持ち上げ、読み取り用トレイ３が上側の開口部２ａから出された後下側の収納用トレイ４内に読み取り走査後のディスクＤを掴んでから落下させて複数枚収納させるようにしたチャッキング機構６が配設されている。
【００１２】
更に、上下移動機構５は、筐体２の上側に配置されたモーター７とこのモーター７から垂下され周囲に雄ネジが設けられたロッド８と、このロッド８に設けられた雄ネジが螺合する雌ネジ孔１１ａを有し下側にターンテーブル回転用の長尺の回転軸９を有するモーター１０が取りつけられたブロック体１１と、このブロック体１１の左右両側から突設された支持リブ１２、１２が入り込んで上下方向に移動可能され筐体２の左右両側から垂設された左右一対の支持レール１３、１３とで構成されている。
【００１３】
また、チャッキング機構６は、筐体２の下面に取りつけられたコイル１４と、このコイル１４の下側に配置されコイル１４の励磁によって上下移動される横長平板状の磁性体１５と、この磁性体１５の上下移動を上下に案内する左右両側の案内用ロッド１６、１６と、磁性体１５の左右両側から垂設され下端にディスクＤに下端の係止爪１７ａ、１７ａで係止してディスクＤを掴み通常は内側向きに付勢されたチャッキング用ロッド１７、１７と、これらのチャッキングロッド１７、１７の内側に近接しチャッキング用ロッド１７、１７の上下方向中途部の突起１７ｂ、１７ｂが接してチャッキング用ロッド１７、１７が外向きに開いた状態となり両側のコイル１４から下向きに垂設されてチャッキング用ロッド１７、１７の上下方向途中箇所の内側に突設された突起１７ｂ、１７ｂが入り込む凹部１８ａ、１８ａを有する下向き長板材１８、１８とを有している。
【００１４】
また、読み取り用トレイ３の中央部にはターンテーブル１９とでディスクＤを回転させる際のディスクＤを保持するためのクランパ２０が配置され、ターンテーブル１９の回転でディスクＤを読み取り走査するためのピックアップ２１が配置されている。
【００１５】
次に、ディスクＤの読み取り走査時とディスクＤのチャッキング時とディスクＤをチャッキングして上側に持ち上げる時とディスクＤを下側の収納用トレイ３に収納する時の各箇所の動作過程を図４、図５、図６、図７を参照しつつ説明する。
先ずディスクＤの読み取り走査は、図４に示すように、ブロック体１１が下側に位置していて、ターンテーブル１９とクランパ２０でディスクＤを保持してピックアップ２１で読み取り走査を行う。この時、チャッキング機構６のチャッキング用ロッド１７、１７はその突起１７ｂ、１７ｂが長板材１８、１８の外面に当接していて、開いた状態となっている。
【００１６】
次に、ディスクＤをチャッキングするには、コイル１４の励磁で磁性体１５が下向きに移動し、長板材１８、１８の凹部１８ａ、１８ａにチャッキング用ロッド１７、１７の突起１７ｂ、１７ｂが内側向きの付勢力で入り込む。すると、チャッキング用ロッド１７、１７が、図５に示すように、その先端の係止爪１７ａ、１７ａがディスクＤの下面に係止してチャッキングした状態となる。
次に、モータ７が回転し雄ネジを有する回転軸９が回転してブロック体１１が上昇してディスクＤをチャッキングした状態でディスクＤがクランパ２０から離れる。このとき、図２に示すように、読み取り用トレイ３が筐体２の上側の開口部２ａから引き出されて、別のディスクＤが読み取り用トレイ３にセットされる。
【００１７】
この状態で、図７に示すように、チャッキング機構６によるディスクＤのチャッキング状態が解除されて、チャッキング用ロッド１７、１７が開いてその係止爪１７ａ、１７ａが外側に開いて、ディスクＤは落下して下側位置の収納用トレイ４内に収納される。
上記の動作を繰り返すことによって、読み取り走査後のディスクＤは複数枚収納用トレイ４内に収納される。
このことにより、ディスクＤを読み取り走査して再生終了後に、ディスクＤを収納用トレイ４内に一時的に複数枚待避させておくことができ、ディスクの入れ替え時に、再生後のディスクＤを一つずつ取り出して持ち帰る必要がなくて、手間を省くことができる。
【図面の簡単な説明】
【００１８】
【図１】本発明のディスクプレーヤーの実施形態の概略斜視図である。
【図２】図１のディスクプレーヤーから一方側のトレイを取り出した状態の概略平面図である。
【図３】図１のディスクプレーヤーの内部構造を示す概略正面図である。
【図４】同ディスクプレーヤー内の読み取り走査した後の再生後のディスクをチャッキング機構でチャッキングする直前の状態を示す構造図である。
【図５】同ディスクプレーヤー内のディスクをチャッキングした状態を示す構造図である。
【図６】同ディスクプレーヤー内のディスクをチャッキングして上側に持ち上げた状態の構造図である。
【図７】同ディスクプレーヤー内のディスクのチャッキングを解除して下方に落下させて複数枚のディスクを収納した状態の構造図である。
【図８】従来のディスクプレーヤーの全体概略構成を示す平面図である。
【図９】同ディスクプレーヤーの内部機構を示す部分斜視図である。
【符号の説明】
【００１９】
１              プレーヤー本体
２              筐体
２ａ            開口部
２ｂ            開口部
２ｃ            上壁
３              読み取り用トレイ
４              収納用トレイ
５              上下移動機構
６              チャッキング機構
７              モーター
８              ロッド
９              回転軸
１０            モーター
１１            ブロック体
１１ａ          雌ネジ孔
１２            支持リブ
１３            支持レール
１４            コイル
１５            磁性体
１６            案内用ロッド
１７            チャッキング用ロッド
１７ａ          係止爪
１７ｂ          突起
１８            長板材
１８ａ          凹部
１９            ターンテーブル
２０            クランパ
２１            ピックアップ
【図１】
2005135474.tif 000003
【図２】
2005135474.tif 000004
【図３】
2005135474.tif 000005
【図４】
2005135474.tif 000006
【図５】
2005135474.tif 000007
【図６】
2005135474.tif 000008
【図７】
2005135474.tif 000009
【図８】
2005135474.tif 000010
【図９】
2005135474.tif 000011